(57)【要約】【課題】温度帯の異なるショーケースを並設した場合であっても、照明装置の温度依存性に影響されることなく、照度を統一することができるショーケースを提供する。【解決手段】本発明のショーケース１は、陳列室１１内を冷却する冷却装置と、照明灯３６、３７、３９とを備えて成るものであって、照明灯３６、３７、３９に印加する電力を制御する制御装置２０を備え、この制御装置２０は、基準値から照明灯３６、３７、３９への印加電力を増大及び減少可能とされている。【選択図】図２
2007252613.tif 000002
【特許請求の範囲】
【請求項１】
陳列室内を冷却する冷却装置と、照明装置とを備えて成るショーケースにおいて、
前記照明装置に印加する電力を制御する制御装置を備え、
該制御装置は、基準値から前記照明装置への印加電力を増大及び減少可能とされていることを特徴とするショーケース。
【発明の詳細な説明】
【技術分野】
【０００１】
本発明は、陳列室内を冷却する冷却装置と、陳列室内や陳列室近傍を照明する照明装置とを備えて成るショーケースに関するものである。
【背景技術】
【０００２】
従来よりスーパーマーケットやコンビニエンスストアなどに設置されるショーケースは、本体内に形成される陳列室内に当該陳列室内やショーケース前方等を照明するための照明灯が取り付けられている。照明灯は、陳列室の天井面前部に位置するキャノピー下面や、棚が複数段架設されている場合には、当該棚下面前部に位置して取り付けられている（特許文献１参照）。
【０００３】
一般に、スーパーマーケットなどでは、同種類のショーケースを複数台並設し、各ショーケースの陳列室の冷却設定温度を変更することにより、冷蔵温度帯のショーケースと、冷凍温度帯のショーケースと、冷蔵温度と冷凍温度帯の間に位置するチルド温度帯のショーケースとして用い、各商品は当該商品ごとに適した温度帯のショーケースに陳列される。
【特許文献１】特開平７−１４３９２８号公報
【発明の開示】
【発明が解決しようとする課題】
【０００４】
しかしながら、従来よりショーケースに取り付けられる照明灯は、直径３２ｍｍの一般蛍光灯（φ３２管）が多く用いられており、当該一般蛍光灯の照度は、図４に示すように、温度依存性が高い。即ち、庫内温度が低くなるに従い、照度が低下する傾向が大きく、庫内温度が所定の温度以上となると、基準照度よりも照度が大きくなる傾向がある。
【０００５】
冷蔵温度帯のショーケースと、冷凍温度帯のショーケースとを並設した際に、冷蔵温度帯のショーケースの方が冷凍温度帯のショーケースよりも明るくなり、冷凍温度帯のショーケースの陳列室１１内は、やや薄暗く感じてしまう。そのため、複数台のショーケースが並設された場合に、明るさ（照度）にズレが生じ、全体としての統一感が損なわれるという問題がある。
【０００６】
また、冷凍温度帯のショーケースの方が照度が低いことから、冷蔵温度帯のショーケースに比べ照明効果が減少し、顧客に対し、冷凍温度帯のショーケースに陳列される商品の購買意欲に影響を及ぼす問題がある。
【０００７】
そこで、ショーケースごとに、照明灯の照度を変更することが考えられるが、従来におけるショーケースでは、照度を低下させる方向に一段階のみ、調整するものであったため、隣接するショーケースの温度帯に応じて照度を変更することはできず、明るさのズレの解消や、全体としての統一感を実現するには至らないものであった。
【０００８】
そこで、本発明は、従来の技術的課題を解決するためになされたものであり、温度帯の異なるショーケースを並設した場合であっても、照明装置の温度依存性に影響されることなく、照度を統一することができるショーケースを提供する。
【課題を解決するための手段】
【０００９】
本発明のショーケースは、陳列室内を冷却する冷却装置と、照明装置とを備えて成るものであって、照明装置に印加する電力を制御する制御装置を備え、該制御装置は、基準値から照明装置への印加電力を増大及び減少可能とされていることを特徴とする。
【発明の効果】
【００１０】
本発明によれば、陳列室内を冷却する冷却装置と、照明装置とを備えて成るものであって、照明装置に印加する電力を制御する制御装置を備え、該制御装置は、基準値から照明装置への印加電力を増大及び減少可能とされているので、照明装置の照度を任意に変更することが可能となる。
【００１１】
これにより、照度について温度依存性の高い照明装置を用いた場合であっても、当該陳列室内の冷却温度に応じて印加電力を増大又は減少させることで、基準の照度に調整することが可能となる。そのため、陳列室内の設定温度が異なる複数台のショーケースが隣接して並設された場合であっても、すべてのショーケースについて基準の照度に調整することが可能となり、各ショーケースごとの照度のズレを解消することができ、全体としての統一感を向上させることが可能となる。
【発明を実施するための最良の形態】
【００１２】
次に、図面を参照して本発明の実施形態について詳述する。図１は本発明を適用したショーケース１の斜視図、図２は図１のショーケース１の縦断側面図をそれぞれ示している。
【００１３】
ショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１４】
ショーケース１の断熱壁２の内側には所定間隔を存して内壁４が取り付けられると共に、当該内壁４と断熱壁２との間にはそれぞれ間隔を存して区画壁４０が取り付けられ、内壁４と区画壁４０間には、内層ダクト４１が形成されると共に、区画壁４０と断熱壁２間には外層ダクト４２が形成されている。内壁４を構成する背部内壁１０の下端前方には、底板９が断熱壁２の底壁２Ａとの間にダクト用の間隔を存して取り付けられており、これら内壁４及び底板９の内側を陳列室１１としている。
【００１５】
また、この陳列室１１内には、高さ及び取付角度が変更可能であると共に、陳列室１１内背部の図示しない支柱に取り付けられる一対のブラケット３１及びこれらと共に棚装置を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。また、各棚板３２の下面前部には、下方の棚板３２上に陳列される商品を照明するための照明灯３６が配設されている。尚、当該照明灯３６は、本実施例では、一般蛍光灯（φ３２管）を使用しており、詳細は後述する如く、制御装置２０により照明灯３６への印加電力がインバータ制御される。
【００１６】
断熱壁２の前面開口１２の上縁にはハニカム材１３、１４がそれぞれ取り付けられた内層吹出口１６及び外層吹出口１７が並設されており、これら内層吹出口１６及び外層吹出口１７は、内層ダクト４１及び外層ダクト４２にそれぞれ連通している。尚、内層吹出口１６及び外層吹出口１７は、区画壁４０の前端において、仕切部材４５によって区画形成される。他方、開口１２の下縁には、内層吸込口１８と外層吸込口１９が並設されている。尚、内層吹出口１６の陳列室１１側の天面内壁８には、陳列室１１内を上方から照明するための照明灯３９が設けられている。尚、当該照明灯３９についても、上記照明灯３６と同様に詳細は後述する如く、制御装置２０により照明灯３９への印加電力がインバータ制御される。
【００１７】
また、断熱壁２の天壁２Ｂ前端にはパネル３３が取り付けられており、このパネル３３の内方には、パネル３３の後方に位置して照明灯３７を取り付けるための照明灯反射板５０が取り付けられる。尚、当該照明灯３７についても、上記照明灯３６と同様に制御装置２０により、印加電力がインバータ制御される。これにより、陳列室１１内は、上前方から照明灯３７にて照明される。また、断熱壁２の天壁２Ｂの前端には、下方に延出して前記外層吹出口１７の前側に位置して外層ダクト４２の前端を閉塞する吹出口外壁５２が取り付けられる。尚、この吹出口外壁５２は、下端が後側に折り返された図示しない係合部が形成されており、当該係合部によって、前記外層吹出口１７に取り付けられるハニカム材１４の前端が支持される。そして、この吹出口外壁５２の上面には、断熱壁２の天壁２Ｂの前端に位置して巻き取り式のナイトカバー５１が収容される。
【００１８】
一方、底板９下方後部には断熱壁２の底壁２Ａ上に内層ダクト４１及び外層ダクト４２のそれぞれに対応する送風機２７、２８（図３のみ図示する）が複数台設置されている。そして、背部内壁１０後方の内層ダクト４１内には冷却装置の図示しない冷却器が縦設されている。この冷却器と共に冷凍サイクルを構成する圧縮機２６（図３のみ図示する）、凝縮器、凝縮器用送風機４３（図３のみ図示する）等は、ショーケース１とは別置きに例えば、店舗内の機械室などに設けられており、当該ショーケース１と圧縮機２６等とは、図示しない冷媒配管にて配管接続されているものとする。そして、圧縮機２６や送風機２７、２８、更には、冷媒回路内における冷媒流量を制御する電磁弁２９は、前記制御装置２０に接続され、詳細は後述する如く冷却運転の制御が行われるものとする。
【００１９】
次に、図３を参照して上記制御装置２０について詳述する。図３はショーケース１の前記制御装置２０のブロック図を示している。この制御装置２０は汎用のマイクロコンピュータにより構成されており、時限手段としてのタイマ２１を備えている。そして、この制御装置２０の入力には、冷却制御用の温度センサ２２と、電源スイッチ２３と、照明スイッチ２４が接続されている。また、制御装置２０の出力には、前記圧縮機２６、送風機２７、２８、４３、電磁弁２９、照明灯３６、３７、３９が接続されている。尚、温度センサ２２は例えば陳列室１１内天井部に取り付けられているものとし、照明灯３６、３７、３９はそれぞれ電子安定器４６、４７、４８を介して接続されているものとする。
【００２０】
以上の構成で本発明の実施例のショーケース１の動作を説明する。先ず、電源スイッチ２３が投入されると、制御装置２０は、圧縮機２６、送風機２７及び２８を起動する。圧縮機２６が起動されると、内層ダクト４１に縦設される冷却器が冷却作用を発揮する。この冷却器と熱交換した冷気は、送風機２７の運転により、内層ダクト４１内を上昇せられ、内層吹出口１６より内層吸込口１８に向かって吹き出される。そして、内層吸込口１８から吸い込まれた冷気は再び前記送風機２７によって加速される。これにより、前面開口１２には、冷気エアーカーテンが形成される。
【００２１】
他方、外層ダクト４２に対応した送風機２８が運転されると外層ダクト４２内の保護気流は外層ダクト４２内を上昇せられ、外層吹出口１７より外層吸込口１９に向かって吹き出される。そして、外層吸込口１９から吸い込まれた空気は再び前記送風機２８によって加速される。これによって、前面開口１２には、冷気エアーカーテンの外側に保護エアーカーテンが形成され、開口１２には前後二重のエアーカーテンが形成されることとなる。そして、内側の冷気エアーカーテンの一部が陳列室１１内に循環されて陳列室１１は冷却される。
【００２２】
制御装置２０は、送風機２７、２８を連続運転し、圧縮機２６と凝縮器用送風機４３については温度センサ２２の出力に基づき、例えば＋５℃で起動し、＋３℃で停止するＯＮ−ＯＦＦ制御を実行する。これによって、陳列室１１内が平均＋４℃の冷蔵温度に冷却されることになる。尚、本実施例では、圧縮機２６と凝縮器用送風機４３のＯＮ−ＯＦＦ制御のみによって陳列室１１内の温度制御を行っているが、これに限定されるものではなく、これに加えて、電磁弁２９による開度制御を行うことによっても温度制御を行っても良いものとする。
【００２３】
一方、本実施例における照明灯３６、３７、３９は、一般蛍光灯であるため、庫内温度に対する照度が異なる。図４は一定の電力を印加した場合における庫内温度に対する照度の関係を示している。これによると、一般蛍光灯は、印加電力を所定の値とした場合、庫内温度が低くなるに従い、照度が低下する傾向が大きく、庫内温度が所定の温度以上となると、基準照度よりも照度が大きくなる傾向がある。そのため、一般蛍光灯を冷凍温度域において使用する場合には、基準照度が確保するため、大きく印加電力を上昇させる必要がある。
【００２４】
そこで、制御装置２０は、上記陳列室１１内の温度（庫内温度）に基づき、各照明灯３６、３７、３９の印加電力を制御する。以下、図５のフローチャート図を参照して説明する。
【００２５】
制御装置２０は、ステップＳ１において、現在の冷却設定温度が冷蔵温度帯、チルド温度帯、冷凍温度帯のいずれであるか否か判断し、冷蔵温度帯である場合には、ステップＳ２に進む。ステップＳ２では、制御装置２０は、予め制御装置２０の記憶手段に格納されている冷蔵用調光設定を取得し、調光制御用データとする。その後、ステップＳ３に進み、制御装置２０は、前記調光制御用データに基づき、当該調光制御を各照明灯３６等の電子安定器４６、４７、４８に出力し、これに基づき、各照明灯３６等への印加電力をインバータ制御する。尚、この場合における冷蔵用調光設定は、後述するチルド用調光設定に比べ、印加電力が所定の値だけ小さいものとする。
【００２６】
他方、制御装置２０は、ステップＳ１において、チルド温度帯であると判断した場合には、ステップＳ４に進む。ステップＳ４では、制御装置２０は、予め制御装置２０の記憶手段に格納されているチルド用調光設定を取得し、調光制御用データとする。その後、ステップＳ３に進み、制御装置２０は、前記調光制御用データに基づき、当該調光制御を各照明灯３６等の電子安定器４６、４７、４８に出力し、これに基づき、各照明灯３６等への印加電力をインバータ制御する。尚、この場合におけるチルド用調光設定は、前記冷蔵用調光設定よりも所定の値だけ大きく、後述する冷凍用調光設定よりも所定の値だけ小さいものとする。
【００２７】
また、制御装置２０は、ステップＳ１において、冷凍温度帯であると判断した場合には、ステップＳ５に進む。ステップＳ５では、制御装置２０は、予め制御装置２０の記憶手段に格納されている冷凍用調光設定を取得し、調光制御用データとする。その後、ステップＳ３に進み、制御装置２０は、前記調光制御用データに基づき、当該調光制御を各照明灯３６等の電子安定器４６、４７、４８に出力し、これに基づき、各照明灯３６等への印加電力をインバータ制御する。尚、この場合における冷凍用調光設定は、前記チルド用調光設定よりも所定の値だけ大きいものとする。
【００２８】
これにより、制御装置２０は、陳列室１１内の設定温度、具体的には、設定温度帯に基づき、各設定温度帯に対応した調光設定により各照明灯３６等への印加電力を制御するため、当該陳列室１１内の温度帯に応じた印加電力に調整することが可能となり、当該陳列室１１内の温度に影響されることなく、所定の基準照度にて確実に照明することが可能となる。
【００２９】
そのため、図４に示されるように、当該ショーケース１に設けられる照明灯３６等のチルド温度帯における照度を基準の照度として、冷蔵温度帯である場合には、制御装置２０は、チルド用調光設定よりも印加電力が小さい冷蔵用調光設定として照明灯３６等のインバータ制御を行うことにより、チルド温度帯の場合に比して印加電力が減少され、チルド温度帯における照度と略同一の照度を実現することが可能となる。
【００３０】
他方、冷凍温度帯である場合には、制御装置２０は、チルド用調光設定よりも印加電力が大きい冷凍用調光設定として照明灯３６等のインバータ制御を行うことにより、チルド温度帯の場合に比して印加電力が増大され、チルド温度帯における照度と略同一の照度を実現することが可能となる。
【００３１】
これにより、本実施例のように照度について温度依存性の高い一般蛍光灯を用いた場合であっても、陳列室１１内の冷却温度に応じて印加電力を増大又は減少させることで、基準の照度に調整することが可能となる。
【００３２】
そのため、陳列室１１内の冷却設定温度帯が異なる複数台のショーケースが隣接して並設された場合であっても、すべてのショーケースについて基準の照度に調整することが可能となり、各ショーケースごとの照度のズレを解消することができ、全体としての統一感を向上させることが可能となる。
【００３３】
尚、本実施例では、陳列室１１内の冷却設定温度（冷却温度帯）に基づき、照明灯３６等へ印加する電力をインバータ制御しているが、これに限定されるものではなく、例えば、ショーケース１の本体に設けられる図示しないコントロールパネルに、３段階に照度を調整可能とする印加電力調整手段を設け、当該印加電力調整手段により、陳列室１１内の温度帯に対応して任意に印加電力を調整しても良いものとする。係る場合には、チルド温度帯である場合には、中間に位置する印加電力とし、冷蔵温度帯である場合には、最も小さい印加電力とし、冷凍温度帯である場合には、最も大きい印加電力であるものとする。
【００３４】
これによっても、各温度帯のショーケースについて、基準の照度に調整することが可能となり、温度帯が異なるショーケースが隣接して設置された場合であっても、照度のズレを解消することができ、全体としての統一感を向上させることが可能となる。
【図面の簡単な説明】
【００３５】
【図１】本発明を適用したショーケースの斜視図である。
【図２】図１のショーケースの縦断側面図である。
【図３】ショーケースの制御装置のブロック図である。
【図４】各照明灯に一定の電力を印加した場合における庫内温度に対する照度の関係を示す図である。
【図５】各温度帯における調光制御を示すフローチャート図である。
【符号の説明】
【００３６】
１    ショーケース
２    断熱壁
１１  陳列室
１２  開口
２０  制御装置
２１  タイマ
２２  温度センサ
２３  電源スイッチ
２４  照明スイッチ
２５  照明種類設定スイッチ
２６  圧縮機
２７、２８  送風機
２９  電磁弁
３６、３７、３９  照明灯
４６、４７、４８  電子安定器
【図１】
2007252613.tif 000003
【図２】
2007252613.tif 000004
【図３】
2007252613.tif 000005
【図４】
2007252613.tif 000006
【図５】
2007252613.tif 000007